(57)【要約】【課題】ノズルに設けられた噴出口からボウルのより広い範囲に水を付着させることができる衛生洗浄装置を提供する。【解決手段】ボウルを有する便器の上に設けられる衛生洗浄装置であって、ケーシングと、人体局部を洗浄するノズルであって、ケーシングに収納される収納位置とケーシングから進出した進出位置との間で進退可能なノズルと、を備え、ノズルは、前下方に向けて水を噴出する第１噴出口と、第１噴出口よりも後方に向けて水を噴出する第２噴出口と、を有し、第２噴出口は、第１噴出口の側方に設けられることを特徴とする衛生洗浄装置。【選択図】図３
2020204158.tif 000002
【特許請求の範囲】
【請求項１】
ボウルを有する便器の上に設けられる衛生洗浄装置であって、
ケーシングと、
人体局部を洗浄するノズルであって、前記ケーシングに収納される収納位置と前記ケーシングから進出した進出位置との間で進退可能な前記ノズルと、
を備え、
前記ノズルは、前下方に向けて水を噴出する第１噴出口と、前記第１噴出口よりも後方に向けて水を噴出する第２噴出口と、を有し、
前記第２噴出口は、前記第１噴出口の側方に設けられることを特徴とする衛生洗浄装置。
【請求項２】
前記第１噴出口の中心は、前記第２噴出口の中心よりも上方に位置することを特徴とする請求項１記載の衛生洗浄装置。
【請求項３】
前記第１噴出口及び前記第２噴出口は、前記ノズルの前端部に設けられることを特徴とする請求項１または２に記載の衛生洗浄装置。
【請求項４】
前記ノズルは、前記第１噴出口及び前記第２噴出口が設けられたノズルヘッドと、前記ノズルヘッドを覆うノズルカバーと、を有し、
前記ノズルカバーは、前記第１噴出口及び前記第２噴出口を露出させる切り欠き部を有し、
前記切り欠き部は、前記ノズルの前端部の上下方向の中央よりも下方に設けられることを特徴とする請求項１〜３のいずれか１つに記載の衛生洗浄装置。
【発明の詳細な説明】
【技術分野】
【０００１】
本発明の態様は、一般的に、衛生洗浄装置に関する。
【背景技術】
【０００２】
従来から、便器のボウルへの汚れの付着や堆積を抑制する手段として、使用前及び使用後にボウルに水または機能水を噴出することが知られている。この例として、特許文献１のように、衛生洗浄装置の人体局部洗浄用ノズルにボウルへ向けて水を噴出する噴出口を設け、ノズルをケーシングから進出させて噴出口からボウルに水を噴出するものがある。
【０００３】
しかし、この衛生洗浄装置では、ノズルはボウルの後方側に位置するケーシングから前下方に向けて進出するように設けられている。そのため、噴出口から一定の噴出角度で水を噴出する場合、ノズルを進出させると噴出口の高さ位置が低くなり、噴出口から噴出された水が付着する範囲は狭くなる。したがって、ノズルを大きく進出させた状態で噴出口から水を噴出させると、特にボウルの前方側などに水を付着させにくくなってしまう。
【０００４】
これを解決する手段として、例えば、使用者に水がかからないように、噴出口からボウルの前方側に向けて水を噴出することが考えられる。しかし、この場合には、ボウルの前方側には水を付着させやすくなるものの、ボウルの後方側には水を付着させにくくなり、結果として、噴出口から噴出された水が付着する範囲が狭くなってしまう。
【先行技術文献】
【特許文献】
【０００５】
【特許文献１】特開２０１５−１０１９４２号公報
【発明の概要】
【発明が解決しようとする課題】
【０００６】
本発明は、かかる課題の認識に基づいてなされたものであり、ノズルに設けられた噴出口からボウルのより広い範囲に水を付着させることができる衛生洗浄装置を提供することを目的とする。
【課題を解決するための手段】
【０００７】
第１の発明は、ボウルを有する便器の上に設けられる衛生洗浄装置であって、ケーシングと、人体局部を洗浄するノズルであって、前記ケーシングに収納される収納位置と前記ケーシングから進出した進出位置との間で進退可能な前記ノズルと、を備え、前記ノズルは、前下方に向けて水を噴出する第１噴出口と、前記第１噴出口よりも後方に向けて水を噴出する第２噴出口と、を有し、前記第２噴出口は、前記第１噴出口の側方に設けられることを特徴とする衛生洗浄装置である。
【０００８】
この衛生洗浄装置によれば、前後方向において異なる向きに水を噴出する２つの噴出口（第１噴出口及び第２噴出口）を設けることで、ボウルのより広い範囲に水を付着させることができる。より具体的には、前下方に向けて水を噴出する第１噴出口によりボウルの前方側に水を付着させるとともに、第１噴出口よりも後方に向けて水を噴出する第２噴出口によりボウルの後方側に水を付着させることができる。これにより、第１噴出口から噴出される水が付着しにくいボウルの後方側に第２噴出口から噴出される水を付着させることができ、ボウルのより広い範囲に水を付着させることができる。
また、この衛生洗浄装置によれば、第２噴出口を第１噴出口の側方に設けることで、第１噴出口の水を噴出する向きと第２噴出口の水を噴出する向きとが異なる場合にも、一方の噴出口から噴出された水が他方の噴出口に当たってしまうことを抑制できる。これにより、それぞれの噴出口の水を噴出する向きの設計の自由度を向上させることができる。したがって、第１噴出口からより前方に向けて水を噴出させることができ、ボウルの前方側により水を付着させやすくすることができる。
【０００９】
第２の発明は、第１の発明において、前記第１噴出口の中心は、前記第２噴出口の中心よりも上方に位置することを特徴とする衛生洗浄装置である。
【００１０】
この衛生洗浄装置によれば、第１噴出口の中心を第２噴出口の中心よりも上方に配置することで、一方の噴出口から噴出された水が他方の噴出口に当たってしまうことをより確実に抑制することができる。
【００１１】
第３の発明は、第１または第２の発明において、前記第１噴出口及び前記第２噴出口は、前記ノズルの前端部に設けられることを特徴とする衛生洗浄装置である。
【００１２】
この衛生洗浄装置によれば、第１噴出口及び第２噴出口をノズルの前端部に設けることで、第１噴出口からより前方に向けて水を噴出させることができる。これにより、ボウルの前方側により水を付着させやすくすることができる。
【００１３】
第４の発明は、第１〜第３のいずれか１つの発明において、前記ノズルは、前記第１噴出口及び前記第２噴出口が設けられたノズルヘッドと、前記ノズルヘッドを覆うノズルカバーと、を有し、前記ノズルカバーは、前記第１噴出口及び前記第２噴出口を露出させる切り欠き部を有し、前記切り欠き部は、前記ノズルの前端部の上下方向の中央よりも下方に設けられることを特徴とする衛生洗浄装置である。
【００１４】
この衛生洗浄装置によれば、第１噴出口及び第２噴出口を露出させる切り欠き部を、ノズルの前端部の上下方向の中央よりも下方に設けることで、使用者から見たときに切り欠き部を目立ちにくくすることができる。これにより、意匠性を向上させることができる。
【発明の効果】
【００１５】
本発明の態様によれば、ノズルに設けられた噴出口からボウルのより広い範囲に水を付着させることができる衛生洗浄装置が提供される。
【図面の簡単な説明】
【００１６】
【図１】実施形態に係る衛生洗浄装置を備えたトイレ装置を模式的に表す斜視図である。
【図２】実施形態に係る衛生洗浄装置の要部構成を模式的に表すブロック図である。
【図３】図３（ａ）及び図３（ｂ）は、実施形態に係る衛生洗浄装置のノズルを模式的に表す斜視図である。
【図４】実施形態に係る衛生洗浄装置のノズルを模式的に表す正面図である。
【図５】図５（ａ）及び図５（ｂ）は、実施形態に係る衛生洗浄装置のノズル周辺を模式的に表す断面図である。
【図６】実施形態に係る衛生洗浄装置の動作の一例を表すフローチャートである。
【発明を実施するための形態】
【００１７】
以下、本発明の実施の形態について図面を参照しつつ説明する。なお、各図面中、同様の構成要素には同一の符号を付して詳細な説明は適宜省略する。  
図１は、実施形態に係る衛生洗浄装置を備えたトイレ装置を模式的に表す斜視図である。  
図１に表したように、トイレ装置９００は、腰掛大便器（便器）８００と、その上に設置された衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。便器８００は、ボウル８０１を有する。
【００１８】
以下の実施形態の説明では、「上方」、「下方」、「前方」、「後方」、「右側方」、及び「左側方」を用いるが、これらの方向は、図１に表すように、便座２００に座った使用者から見た方向である。
【００１９】
ケーシング４００の内部には、便座２００に座った使用者の「おしり」などの局部の洗浄を実現する局部洗浄機能部などが内蔵されている。局部洗浄機能部は、ノズル４７３を含む。ノズル４７３は、ケーシング４００に収納される収納位置と、ケーシング４００から進出した進出位置との間で進退可能である。ノズル４７３は、ケーシング４００の前下方に位置するボウル８０１の中心に向けて直線状の軌道で進出し、ボウル８０１の後上方に位置するケーシング４００の内部に向けて直線状の軌道で後退する。なお、図１に表した衛生洗浄装置１００では、ノズル４７３が進出位置にある状態を表している。
【００２０】
衛生洗浄装置１００には、使用者の便座２００への着座を検知する着座検知センサ４０４（図２参照）が設けられている。着座検知センサ４０４が便座２００に座った使用者を検知している場合において、使用者が例えばリモコンなどの操作部５００（図２参照）を操作すると、ノズル４７３を進出位置に進出させたり、収納位置に後退させたりすることができる。
【００２１】
ノズル４７３は、ケーシング４００から進出した状態で、人体局部に向けて水（洗浄水）を吐出し、人体局部の洗浄を行う。ノズル４７３の先端部には、おしり洗浄吐水口４７４ａ、やわらか洗浄吐水口４７４ｂ、及びビデ洗浄吐水口４７４ｃが設けられている。ノズル４７３は、その先端に設けられたおしり洗浄吐水口４７４ａまたはやわらか洗浄吐水口４７４ｂから水を噴射して、便座２００に座った使用者の「おしり」を洗浄することができる。あるいは、ノズル４７３は、その先端に設けられたビデ洗浄吐水口４７４ｃから水を噴射して、便座２００に座った女性の女性局部を洗浄することができる。なお、本願明細書において「水」という場合には、冷水のみならず、加熱されたお湯も含むものとする。
【００２２】
「おしり」を洗浄するモードのなかには、例えば、「おしり洗浄」と、「おしり洗浄」よりもソフトな水流で優しく洗浄する「やわらか洗浄」と、が含まれる。ノズル４７３は、例えば、「おしり洗浄」と、「やわらか洗浄」と、「ビデ洗浄」と、を実行することができる。
【００２３】
なお、図１に表したノズル４７３では、ビデ洗浄吐水口４７４ｃがやわらか洗浄吐水口４７４ｂよりもノズル４７３の先端側に設けられており、やわらか洗浄吐水口４７４ｂがおしり洗浄吐水口４７４ａよりもノズル４７３の先端側に設けられているが、おしり洗浄吐水口４７４ａ、やわらか洗浄吐水口４７４ｂ、及びビデ洗浄吐水口４７４ｃの設置位置は、これだけに限定されるわけではない。また、図１に表したノズル４７３では、３つの吐水口が設けられているが、例えば、やわらか洗浄吐水口４７４ｂが省略されていてもよいし、４つ以上の吐水口が設けられていてもよい。
【００２４】
図２は、実施形態に係る衛生洗浄装置の要部構成を模式的に表すブロック図である。  
図２では、水路系と電気系の要部構成を併せて表している。  
図２に表したように、衛生洗浄装置１００は、導水部２０を有する。導水部２０は、水道や貯水タンクなどの給水源１０からノズル４７３に至る管路２０ａを有する。導水部２０は、管路２０ａにより、給水源１０から供給された水をノズル４７３に導く。管路２０ａは、例えば、以下に説明する電磁弁４３１、熱交換器ユニット４４０、流路切替部４７２などの各部と、これらの各部を接続する複数の配管と、によって形成される。
【００２５】
導水部２０の上流側には、電磁弁４３１が設けられている。電磁弁４３１は、開閉可能な電磁バルブであり、ケーシング４００の内部に設けられた制御部４０５からの指令に基づいて水の供給を制御する。換言すれば、電磁弁４３１は、管路２０ａを開閉する。電磁弁４３１を開状態にすることにより、給水源１０から供給された水が、管路２０ａに流れる。
【００２６】
電磁弁４３１の下流には、調圧弁４３２が設けられている。調圧弁４３２は、給水圧が高い場合に、管路２０ａ内の圧力を所定の圧力範囲に調整する。調圧弁４３２の下流には、逆止弁４３３が設けられている。逆止弁４３３は、管路２０ａ内の圧力が低下した場合などに、逆止弁４３３よりも上流側への水の逆流を抑制する。
【００２７】
逆止弁４３３の下流には、熱交換器ユニット４４０（加熱部）が設けられている。熱交換器ユニット４４０は、ヒータを有し、給水源１０から供給された水を加熱して例えば規定の温度まで昇温する。すなわち、熱交換器ユニット４４０は、温水を生成する。
【００２８】
熱交換器ユニット４４０は、例えばセラミックヒータなどを用いた瞬間加熱式（瞬間式）の熱交換器である。瞬間加熱式の熱交換器は、貯湯タンクを用いた貯湯加熱式の熱交換器と比較すると、短い時間で水を規定の温度まで昇温させることができる。なお、熱交換器ユニット４４０は、瞬間加熱式の熱交換器には限定されず、貯湯加熱式の熱交換器であってもよい。また、加熱部は、熱交換器に限ることなく、例えば、マイクロ波加熱を利用するものなど、他の加熱方式を用いたものでもよい。
【００２９】
熱交換器ユニット４４０は、制御部４０５と接続されている。制御部４０５は、例えば、使用者による操作部５００の操作に応じて熱交換器ユニット４４０を制御することにより、操作部５００で設定された温度に水を昇温する。
【００３０】
熱交換器ユニット４４０の下流には、流量センサ４４２が設けられている。流量センサ４４２は、熱交換器ユニット４４０から吐出された水の流量を検知する。すなわち、流量センサ４４２は、管路２０ａ内を流れる水の流量を検知する。流量センサ４４２は、制御部４０５に接続されている。流量センサ４４２は、流量の検知結果を制御部４０５に入力する。
【００３１】
流量センサ４４２の下流には、電解槽ユニット４５０が設けられている。電解槽ユニット４５０は、内部を流れる水道水を電気分解することにより、水道水から次亜塩素酸を含む液（機能水）を生成する。電解槽ユニット４５０は、制御部４０５に接続されている。電解槽ユニット４５０は、制御部４０５による制御に基づいて、機能水の生成を行う。
【００３２】
電解槽ユニット４５０において生成される機能水は、例えば、銀イオンや銅イオンなどの金属イオンを含む溶液であってもよい。あるいは、電解槽ユニット４５０において生成される機能水は、電解塩素やオゾンなどを含む溶液であってもよい。あるいは、電解槽ユニット４５０において生成される機能水は、酸性水やアルカリ水であってもよい。
【００３３】
電解槽ユニット４５０の下流には、バキュームブレーカ（ＶＢ）４５２が設けられている。バキュームブレーカ４５２は、例えば、水を流すための流路と、流路内に空気を取り込むための吸気口と、吸気口を開閉する弁機構と、を有する。弁機構は、例えば、流路に水が流れている時に吸気口を塞ぎ、水の流れの停止とともに吸気口を開放して流路内に空気を取り込む。すなわち、バキュームブレーカ４５２は、導水部２０に水の流れが無い時に、管路２０ａ内に空気を取り込む。弁機構には、例えば、フロート弁が用いられる。
【００３４】
バキュームブレーカ４５２は、上記のように管路２０ａ内に空気を取り込むことにより、例えば、管路２０ａのバキュームブレーカ４５２よりも下流の部分の水抜きを促進させる。バキュームブレーカ４５２は、例えば、ノズル４７３の水抜きを促進する。このように、バキュームブレーカ４５２は、ノズル４７３内の水を抜いてノズル４７３内に空気を取り込むことにより、例えば、ノズル４７３内の洗浄水やボウル８０１内に溜まった汚水などが、給水源１０（上水）側に逆流してしまうことを抑制する。
【００３５】
バキュームブレーカ４５２の下流には、圧力変調部４５４が設けられている。圧力変調部４５４は、導水部２０の管路２０ａ内の水の流れに脈動または加速を与え、ノズル４７３のおしり洗浄吐水口４７４ａ、やわらか洗浄吐水口４７４ｂ、及びビデ洗浄吐水口４７４ｃやノズル洗浄部４７８の吐水部から吐水される水に脈動を与える。すなわち、圧力変調部４５４は、管路２０ａ内を流れる水の流動状態を変動させる。圧力変調部４５４は、制御部４０５に接続されている。圧力変調部４５４は、制御部４０５による制御に基づいて、水の流動状態を変動させる。圧力変調部４５４は、管路２０ａ内の水の圧力を変動させる。
【００３６】
圧力変調部４５４の下流には、流量調整部４７１が設けられている。流量調整部４７１は、水勢（流量）の調整を行う。流量調整部４７１の下流には、流路切替部４７２が設けられている。流路切替部４７２は、ノズル４７３やノズル洗浄部４７８への給水の開閉や切替を行う。流量調整部４７１及び流路切替部４７２は、１つのユニットとして設けられてもよい。流量調整部４７１及び流路切替部４７２は、制御部４０５に接続されている。流量調整部４７１及び流路切替部４７２の動作は、制御部４０５によって制御される。
【００３７】
流路切替部４７２の下流には、ノズル４７３、及びノズル洗浄部４７８が設けられている。ノズル４７３は、ノズル駆動部４７６からの駆動力を受け、便器８００のボウル８０１内に進出したり、ボウル８０１内から後退したりする。
【００３８】
ノズル洗浄部４７８は、例えば、吐水部から機能水あるいは水を噴射することにより、ノズル４７３の外周表面（胴体）を洗浄する。
【００３９】
また、流路切替部４７２の下流には、導水部２０を介して給水源１０から供給された水や電解槽ユニット４５０において生成された機能水を、ノズル４７３に供給するおしり洗浄流路２１と、やわらか洗浄流路２２と、ビデ洗浄流路２３と、が設けられている。おしり洗浄流路２１は、流路切替部４７２とおしり洗浄吐水口４７４ａとを接続する。やわらか洗浄流路２２は、流路切替部４７２とやわらか洗浄吐水口４７４ｂとを接続する。ビデ洗浄流路２３は、流路切替部４７２とビデ洗浄吐水口４７４ｃとを接続する。
【００４０】
また、流路切替部４７２の下流には、表面洗浄流路２４と、第１ボウル噴出流路２５と、第２ボウル噴出流路２６と、が設けられている。表面洗浄流路２４は、導水部２０を介して給水源１０から供給された水や電解槽ユニット４５０において生成された機能水をノズル洗浄部４７８の吐水部へ導く。第１ボウル噴出流路２５及び第２ボウル噴出流路２６は、導水部２０を介して給水源１０から供給された水や電解槽ユニット４５０において生成された機能水をノズル４７３の噴出口４７９（後述の第１噴出口４７９ａ及び第２噴出口４７９ｂ）へ導く。噴出口４７９に供給された水または機能水は、噴出口４７９からボウル８０１に向けて噴出される。
【００４１】
制御部４０５は、流路切替部４７２を制御することにより、おしり洗浄流路２１、やわらか洗浄流路２２、ビデ洗浄流路２３、表面洗浄流路２４、第１ボウル噴出流路２５、及び第２ボウル噴出流路２６の各流路の開閉を切り替える。このように、流路切替部４７２は、おしり洗浄吐水口４７４ａ、やわらか洗浄吐水口４７４ｂ、ビデ洗浄吐水口４７４ｃ、ノズル洗浄部４７８、及び噴出口４７９などの複数の吐水口のそれぞれについて、管路２０ａに連通させた状態と、管路２０ａに連通させない状態と、を切り替える。
【００４２】
制御部４０５は、電源回路４０１から電力を供給され、着座検知センサ４０４や、流量センサ４４２や、操作部５００などからの信号に基づいて、電磁弁４３１や、熱交換器ユニット４４０や、電解槽ユニット４５０や、圧力変調部４５４や、流量調整部４７１や、流路切替部４７２や、ノズル駆動部４７６などの動作を制御する。これにより、制御部４０５は、ノズル４７３の動作を制御する。
【００４３】
また、ケーシング４００には、便座２００に座った使用者の「おしり」などに向けて温風を吹き付けて乾燥させる「温風乾燥機能」や「脱臭ユニット」や「室内暖房ユニット」などの各種の機構が適宜設けられていてもよい。この際、ケーシング４００の側面には、脱臭ユニットからの排気口４０７及び室内暖房ユニットからの排出口４０８が適宜設けられる。ただし、本発明においては、衛生洗浄機能部やその他の付加機能部は必ずしも設けなくてもよい。
【００４４】
図３（ａ）及び図３（ｂ）は、実施形態に係る衛生洗浄装置のノズルを模式的に表す斜視図である。  
図４は、実施形態に係る衛生洗浄装置のノズルを模式的に表す正面図である。  
図５（ａ）及び図５（ｂ）は、実施形態に係る衛生洗浄装置のノズル周辺を模式的に表す断面図である。  
図５（ａ）及び図５（ｂ）は、図１に示すＡ１−Ａ２線による断面のうち、ノズル４７３の周辺を表す。
【００４５】
図３（ａ）、図３（ｂ）、図４、図５（ａ）、及び図５（ｂ）に表したように、ノズル４７３は、例えば、ノズルヘッド４７３ａと、ノズルカバー４７３ｂと、を有する。ノズルヘッド４７３ａは、ノズルカバー４７３ｂの内部に収納されている。換言すれば、ノズルカバー４７３ｂは、ノズルヘッド４７３ａを覆っている。
【００４６】
ノズルヘッド４７３ａには、人体局部に向けて水を吐出する吐水口４７４（おしり洗浄吐水口４７４ａ、やわらか洗浄吐水口４７４ｂ、及びビデ洗浄吐水口４７４ｃ）と、ボウル８０１に向けて水を噴出する噴出口４７９（第１噴出口４７９ａ及び第２噴出口４７９ｂ）と、が設けられている。ノズルヘッド４７３ａは、おしり洗浄流路２１、やわらか洗浄流路２２、ビデ洗浄流路２３、第１ボウル噴出流路２５、及び第２ボウル噴出流路２６に接続されている。
【００４７】
ノズルカバー４７３ｂには、吐水口４７４（おしり洗浄吐水口４７４ａ、やわらか洗浄吐水口４７４ｂ、及びビデ洗浄吐水口４７４ｃ）と連通する孔部４７５ａと、噴出口４７９（第１噴出口４７９ａ及び第２噴出口４７９ｂ）を露出させる切り欠き部４７５ｂと、が設けられている。図４に表したように、切り欠き部４７５ｂは、例えば、ノズル４７３の前端部４７７の上下方向の中央ＣＬ１よりも下方に設けられる。
【００４８】
このように、第１噴出口４７９ａ及び第２噴出口４７９ｂを露出させる切り欠き部４７５ｂを、ノズル４７３の前端部４７７の上下方向の中央ＣＬ１よりも下方に設けることで、使用者から見たときに切り欠き部４７５ｂを目立ちにくくすることができる。これにより、意匠性を向上させることができる。
【００４９】
図５（ａ）及び図５（ｂ）に表したように、衛生洗浄装置１００は、遮蔽板６００を備えている。遮蔽板６００は、ケーシング４００に対して回動可能に設けられている。遮蔽板６００は、ノズル４７３が収納位置にあるとき、ノズル４７３の前方に位置する。遮蔽板６００は、ノズル４７３が進出位置にあるとき、ノズル４７３の上方に位置する。遮蔽板６００は、例えば、ノズル４７３の進退により回動可能である。
【００５０】
以下、第１噴出口４７９ａ及び第２噴出口４７９ｂについて、詳しく説明する。  
図５（ａ）は、第１噴出口４７９ａから水を噴出している状態（すなわち、後述の前方洗浄動作）を表している。図５（ｂ）は、第２噴出口４７９ｂから水を噴出している状態（すなわち、後述の後方洗浄動作）を表している。
【００５１】
第１噴出口４７９ａ及び第２噴出口４７９ｂは、例えば、霧状の水を噴出する。第１噴出口４７９ａ及び第２噴出口４７９ｂから噴出される水の粒径は、例えば、おしり洗浄吐水口４７４ａ、やわらか洗浄吐水口４７４ｂ、及びビデ洗浄吐水口４７４ｃから噴出される水の粒径よりも小さい。第１噴出口４７９ａ及び第２噴出口４７９ｂから噴出される水の粒径は、例えば、約４００μｍ程度である。
【００５２】
図５（ａ）に表したように、第１噴出口４７９ａは、前下方に向けて開口している。第１噴出口４７９ａは、前下方に向けて水を噴出する。より具体的には、第１噴出口４７９ａは、水平面ＨＰに対して第１噴出角度θ１で水を噴出する。第１噴出角度θ１は、第１噴出口４７９ａから噴出される水の第１噴出方向Ｄ１と水平面ＨＰとのなす角度である。第１噴出方向Ｄ１は、例えば、第１噴出口４７９ａから噴射される水の噴出範囲Ｒ１の中心線で表すことができる。第１噴出方向Ｄ１は、例えば、第１噴出口４７９ａの法線で表してもよい。
【００５３】
第１噴出角度θ１は、例えば、水平面ＨＰに対するノズル４７３の進出角度θ３よりも大きい。進出角度θ３は、ノズル４７３の進出方向ＥＤと水平面ＨＰとのなす角度である。換言すれば、第１噴出口４７９ａは、例えば、ノズル４７３の進出方向ＥＤよりも後方に向けて水を噴出する。第１噴出角度θ１は、鋭角である。第１噴出角度θ１は、例えば、３８度以上７２度以下である。
【００５４】
図５（ｂ）に表したように、第２噴出口４７９ｂは、第１噴出口４７９ａよりも後方に向けて開口している。第２噴出口４７９ｂは、第１噴出口４７９ａよりも後方に向けて水を噴出する。より具体的には、第２噴出口４７９ｂは、水平面ＨＰに対して第２噴出角度θ２で水を噴出する。第２噴出角度θ２は、第２噴出口４７９ｂから噴出される水の第２噴出方向Ｄ２と水平面ＨＰとのなす角度である。第２噴出方向Ｄ２は、例えば、第２噴出口４７９ｂから噴射される水の噴出範囲Ｒ２の中心線で表すことができる。第２噴出方向Ｄ２は、例えば、第２噴出口４７９ｂの法線で表してもよい。
【００５５】
第２噴出角度θ２は、例えば、水平面ＨＰに対するノズル４７３の進出角度θ３よりも大きい。換言すれば、第２噴出口４７９ｂは、例えば、ノズル４７３の進出方向ＥＤよりも後方に向けて水を噴出する。第２噴出角度θ２は、第１噴出角度θ１よりも大きい。換言すれば、第２噴出口４７９ｂは、第１噴出口４７９ａよりも後方に向けて水を噴出する。第２噴出角度θ２は、例えば、７２度以上９０度以下である。
【００５６】
このように、前後方向において異なる向きに水を噴出する２つの噴出口４７９（第１噴出口４７９ａ及び第２噴出口４７９ｂ）を設けることで、ボウル８０１のより広い範囲に水を付着させることができる。より具体的には、前下方に向けて水を噴出する第１噴出口４７９ａによりボウル８０１の前方側に水を付着させるとともに、第１噴出口４７９ａよりも後方に向けて水を噴出する第２噴出口４７９ｂによりボウル８０１の後方側に水を付着させることができる。これにより、第１噴出口４７９ａから噴出される水が付着しにくいボウル８０１の後方側に第２噴出口４７９ｂから噴出される水を付着させることができ、ボウル８０１のより広い範囲に水を付着させることができる。
【００５７】
また、図４に表したように、第２噴出口４７９ｂは、第１噴出口４７９ａの側方に設けられる。より具体的には、第２噴出口４７９ｂは、上下方向において第１噴出口４７９ａと重ならない。第２噴出口４７９ｂの少なくとも一部は、例えば、左右方向において第１噴出口４７９ａと重なる。また、例えば、第１噴出口４７９ａは、ノズル４７３の前端部４７７の左右方向の中央ＣＬ２よりも一方側（この例では左側）に位置し、第２噴出口４７９ｂは、左右方向の中央ＣＬ２よりも他方側（この例では右側）に位置する。
【００５８】
なお、第１噴出口４７９ａがノズル４７３の前端部４７７の左右方向の中央ＣＬ２よりも右側に位置し、第２噴出口４７９ｂが左右方向の中央ＣＬ２よりも左側に位置していてもよい。換言すれば、第１噴出口４７９ａの左右方向の位置と第２噴出口４７９ｂの左右方向の位置とは、逆であってもよい。
【００５９】
このように、第２噴出口４７９ｂを第１噴出口４７９ａの側方に設けることで、第１噴出口４７９ａの水を噴出する向きと第２噴出口４７９ｂの水を噴出する向きとが異なる場合にも、一方の噴出口４７９（例えば、第２噴出口４７９ｂ）から噴出された水が他方の噴出口４７９（例えば、第１噴出口４７９ａ）に当たってしまうことを抑制できる。これにより、それぞれの噴出口４７９の水を噴出する向きの設計の自由度を向上させることができる。したがって、第１噴出口４７９ａからより前方に向けて水を噴出させることができ、ボウル８０１の前方側により水を付着させやすくすることができる。
【００６０】
また、図４に表したように、第１噴出口４７９ａは、例えば、第２噴出口４７９ｂよりも上方に位置する。より具体的には、第１噴出口４７９ａの中心Ｃ１は、第２噴出口４７９ｂの中心Ｃ２よりも上方に位置する。
【００６１】
このように、第１噴出口４７９ａの中心Ｃ１を第２噴出口４７９ｂの中心Ｃ２よりも上方に配置することで、一方の噴出口４７９（例えば、第２噴出口４７９ｂ）から噴出された水が他方の噴出口４７９（例えば、第１噴出口４７９ａ）に当たってしまうことをより確実に抑制することができる。
【００６２】
また、図４に表したように、第１噴出口４７９ａ及び第２噴出口４７９ｂは、例えば、ノズル４７３の前端部４７７に設けられる。より具体的には、第１噴出口４７９ａ及び第２噴出口４７９ｂは、例えば、ノズル４７３の前端部４７７において、上下方向の中央ＣＬ１よりも下方に設けられる。
【００６３】
このように、第１噴出口４７９ａ及び第２噴出口４７９ｂをノズル４７３の前端部４７７に設けることで、第１噴出口４７９ａからより前方に向けて水を噴出させることができる。これにより、ボウル８０１の前方側により水を付着させやすくすることができる。
【００６４】
図６は、実施形態に係る衛生洗浄装置の動作の一例を表すフローチャートである。  
図６に表したように、制御部４０５は、例えば、衛生洗浄装置１００の使用前において、噴出口４７９からボウル８０１に向けて水を噴出する使用前洗浄を行う。より具体的には、制御部４０５は、着座検知センサ４０４が着座を検知しない状態から着座を検知した状態になると（ステップＳ１０１：Ｙｅｓ）、使用前洗浄を行う（ステップＳ１０２）。
【００６５】
このように、使用者の着座をトリガーにして使用前洗浄を行うことで、使用直前にボウル８０１に水を付着させることができる。これにより、ボウル８０１に水を付着させてから時間が経過して付着した水が乾いたり水が落水したりしてしまうことを抑制できる。
【００６６】
なお、使用前洗浄のトリガーは、使用者の着座に限定されない。制御部４０５は、例えば、使用者のトイレ室への入室や、便蓋３００を開くためのボタン操作などをトリガーにして、使用前洗浄を行ってもよい。
【００６７】
使用前洗浄において、制御部４０５は、第１噴出口４７９ａから水を噴出させる前方洗浄動作と、第２噴出口４７９ｂから水を噴出させる後方洗浄動作と、を行う。使用前洗浄において、制御部４０５は、前方洗浄動作の後に後方洗浄動作を行ってもよいし、前方洗浄動作の前に後方洗浄動作を行ってもよいし、前方洗浄動作と後方洗浄動作とを同時に行ってもよい。また、使用前洗浄において、制御部４０５は、後方洗浄動作を行い、その後、前方洗浄動作を行い、その後、後方洗浄動作を行ってもよい。このように、使用前洗浄において、制御部４０５は、後方洗浄動作を複数回行ってもよい。
【００６８】
図６に表したように、制御部４０５は、例えば、衛生洗浄装置１００の使用後において、噴出口４７９からボウル８０１に向けて水を噴出する使用後洗浄を行う。より具体的には、制御部４０５は、着座検知センサ４０４が着座を検知した状態から着座を検知しない状態になると（ステップＳ１０３：Ｙｅｓ）、使用後洗浄を行う（ステップＳ１０４）。
【００６９】
このように、使用者の離座をトリガーにして使用後洗浄を行うことで、衛生洗浄装置１００の使用直後に使用後洗浄を開始することができる。これにより、次の使用者が着座する前に使用後洗浄を完了させることができ、使用者に水がかかることを抑制できる。
【００７０】
なお、使用後洗浄において噴出口４７９から噴出される水は、電解槽ユニット４５０において生成された機能水であってもよい。
【００７１】
また、使用後洗浄のトリガーは、使用者の離座に限定されない。制御部４０５は、例えば、使用者のトイレ室からの退室や、便器洗浄のボタン操作などをトリガーにして、使用後洗浄を行ってもよい。
【００７２】
使用後洗浄において、制御部４０５は、第１噴出口４７９ａから水を噴出させる前方洗浄動作と、第２噴出口４７９ｂから水を噴出させる後方洗浄動作と、を行う。使用後洗浄において、制御部４０５は、前方洗浄動作の後に後方洗浄動作を行ってもよいし、前方洗浄動作の前に後方洗浄動作を行ってもよいし、前方洗浄動作と後方洗浄動作とを同時に行ってもよい。また、使用後洗浄において、制御部４０５は、後方洗浄動作を行い、その後、前方洗浄動作を行い、その後、後方洗浄動作を行ってもよい。このように、使用後洗浄において、制御部４０５は、後方洗浄動作を複数回行ってもよい。
【００７３】
実施形態において、制御部４０５は、使用前洗浄のみを行ってもよいし、使用後洗浄のみを行ってもよいし、使用前洗浄及び使用後洗浄の両方を行ってもよい。
【００７４】
また、この例では、制御部４０５は、図５（ａ）に表したように、ノズル４７３を所定位置まで進出させることで、遮蔽板６００を所定角度まで回動させた状態で、前方洗浄動作を行っている。一方、制御部４０５は、図５（ｂ）に表したように、ノズル４７３を収納位置に保持した状態で（すなわち、遮蔽板６００を回動させずに）、後方洗浄動作を行っている。このように、前方洗浄動作を行う際のノズル４７３の位置と後方洗浄動作を行う際のノズル４７３の位置は異なっていてもよい。より具体的には、例えば、前方洗浄動作を行う際のノズル４７３の位置は、後方洗浄動作を行う際のノズル４７３の位置よりも前方であってもよい。遮蔽板６００を所定角度まで回動させた状態で、前方洗浄動作を行うことで、ボウル８０１の前方側により水を付着させやすくすることができる。
【００７５】
以上のように、実施形態によれば、ノズル４７３に設けられた噴出口４７９からボウル８０１のより広い範囲に水を付着させることができる衛生洗浄装置１００を提供できる。
【００７６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、衛生洗浄装置１００などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７７】
１０ 給水源、  ２０ 導水部、  ２１  おしり洗浄流路、  ２２ やわらか洗浄流路、  ２３ ビデ洗浄流路、  ２４ 表面洗浄流路、  ２５ 第１ボウル噴出流路、  ２６ 第２ボウル噴出流路、  １００ 衛生洗浄装置、  ２００ 便座、  ３００ 便蓋、  ４００ ケーシング、  ４０１ 電源回路、  ４０４ 着座検知センサ、  ４０５ 制御部、  ４０７ 排気口、  ４０８ 排出口、  ４３１ 電磁弁、  ４３２ 調圧弁、  ４３３ 逆止弁、  ４４０ 熱交換器ユニット、  ４４２ 流量センサ、  ４５０ 電解槽ユニット、  ４５２ バキュームブレーカ、  ４５４ 圧力変調部、  ４７１ 流量調整部、  ４７２ 流路切替部、  ４７３ ノズル、  ４７３ａ ノズルヘッド、  ４７３ｂ ノズルカバー、  ４７４ 吐水口、  ４７４ａ おしり洗浄吐水口、  ４７４ｂ やわらか洗浄吐水口、  ４７４ｃ ビデ洗浄吐水口、  ４７５ａ 孔部、  ４７５ｂ 切り欠き部、  ４７６ ノズル駆動部、  ４７７ 前端部、  ４７８ ノズル洗浄部、  ４７９ 噴出口、  ４７９ａ、４７９ｂ 第１、第２噴出口、  ５００ 操作部、  ６００ 遮蔽板、  ８００ 便器、  ８０１ ボウル、  ９００ トイレ装置、  Ｃ１、Ｃ２ 中心、  ＣＬ１、ＣＬ２ 中央、  Ｄ１、Ｄ２ 第１、第２噴出方向、  ＥＤ 進出方向、  ＨＰ 水平面、  Ｒ１、Ｒ２ 噴出範囲、  θ１、θ２ 第１、第２噴出角度、  θ３ 進出角度
【図１】
2020204158.tif 000003
【図２】
2020204158.tif 000004
【図３】
2020204158.tif 000005
【図４】
2020204158.tif 000006
【図５】
2020204158.tif 000007
【図６】
2020204158.tif 000008